(57)【要約】【課題】  洗濯物を収納する洗濯かごや、食器や野菜などの水切りかごを、キャンプや合宿、災害非難時などの日常生活以外での臨時的な場面で利用するには、移動時の運搬や使用しない場合の保管時の取り扱いを考え、コンパクトであることが重要であり、そのためには、折り畳みが出来て組み立ても容易であることが求められる。【解決手段】  かご体を構成する４枚の側板１、２、３、４と底板５を、結合部材としてコイルばね１１、１２、１３、１４を用いて一体となるよう結合することで、滑らかで納まりの良い折り畳みと、組み立て後の使用時にがたつきのないかご体とした。  組み立ては側板１と側板４の相対する開口部のフック２１による掛合と、底板５の突起部３１の挿入手順のみで可能とした。【選択図】図１
2011011818.tif 000002
【特許請求の範囲】
【請求項１】
かご体を構成する側板および底板をコイルばねを結合部材に用いて一体として結合した折り畳み式かご。
【請求項２】
側板の開口部の相対する１辺をフックにより掛合し、底板の固定用の突起部を相対する側板に挿入する手順のみで、組み立てを可能とした請求項第１項記載の折り畳み式かご。
【発明の詳細な説明】
【技術分野】
【０００１】    本発明は、折り畳み及び組み立てが簡易で携帯性のある折り畳み式のかごに関するものである。
【背景技術】
【０００２】    洗濯物を収納する洗濯かごや、食器や野菜などの水切りかごは、物品を収納することを目的とするため、一般的な構造として一体化した箱形状であり嵩が大きなものとなっている。そのため、キャンプ、合宿、災害非難時などの日常の家庭生活以外の場面における移動時の運搬や、使用しない場合の保管に不便である。
それを解決するものとして、折り畳み式や組立て式のかごが従来より存在するが、それらは、分解された複数の側板や底板を別途形成した複数の結合部品を用いて組み立ての度に結合するものや、かごの構成体が一体として結合されていて折り畳み及び展開は容易であるが複雑な機構を持つものとなっている。
【発明の概要】
【発明が解決しようとする課題】
【０００３】    上記のような日常の家庭生活以外の場面で使用するかごには、携帯性や耐久性に優れ、折り畳みや組み立て作業に手間がかからず、取り扱い及び保管の管理が容易であることが求められる。【０００４】    従来からある、分解された複数の側板などの部材を別形成した部品で結合し組み立てる構造のものは組立て作業に手間がかかる上、構成部品の紛失の防止や保管時の管理に注意が必要である。一方その問題の解決として、かごを構成する側板及び底板を折り畳み可能に結合し一体としたものがあるが、板体及びヒンジとなる結合部品の双方に専用に設計された機構を有するがために、部品の製作及び組み付けなどの製品の製造面で容易でないものとなっている。
本発明は、上記の問題点を鑑み、簡易な構造及び機構で構成部材を一体とし、特別な結合具を使用することなく容易に組み立てることができ、折り畳んだ際の容積に無駄がなく小さくなるようにした折り畳み式かご構造体を提供するものである。
【課題を解決するための手段】
【０００５】    本発明における折り畳み式かごは、かごを構成する４枚の側板と１枚の底板は格子状の網体であり、４枚の側板の相対する４辺のうちの３辺と底板の１辺は、縁枠にコイルばねをヒンジ部材として巻着することで一体となるよう形成し、開口する側板の残りの１辺には、組み立て時の掛合と折り畳み時の展開を可能とする外側へ突出したフック部を有することを特徴とする。【０００６】    側板は逆台形の形状とし、底板の辺の寸法は、組み立て後の側板の底辺が形成する方形の寸法より幾分大きな相似形となるよう設定し、底板を側板に結合する位置は底板が底面と平行となるよう設定する。【０００７】    ４枚の側板及び底板の縁枠を結合するコイルばねは、相対する２本の縁枠に外設するよう螺入して巻着する。コイルばねの内径は、巻着する２本の縁枠の合計外形寸法に格子を形成する線材の外径程度の寸法を加えたものとする。また、コイルばねの長手方向の寸法は、押しばねとしての外方向の張力が作用するよう、巻着する縁枠に横設する格子間隔の寸法より大きく設定する。
【発明の効果】
【０００８】    上記の構成よりなる本発明は、簡易に組み立てられる点において、かごを構成する素体は折り畳まれた状態においても全て連結されており、組み立て時には折り畳み状態から単純に展開し、側板の１辺の開口部のフックを相対する側板の縁枠に掛合した上で底板を落とし込み、底板に設けた跳ね上がり防止用の突起部を挿入するだけで完了し極めて簡単である。
また、かごの各側板と底板を巻着するに用いるコイルばねは、内通する２本の縁枠に対し余裕をもった内径としたことで、折り畳みの動きが滑らかであり、折り畳みの網体特有の線材が交差する際に生じる突起や重なりの厚みを吸収し納まりの良い折り畳み状態となる。コイルばねを用いるもう１つの効果は、網体の相対する格子内に外方向の張力が働くようにコイルばねを巻着することで、相対する網体をがたつき無く堅牢に結合することができる。
また、側板を逆台形にし、底板を底面より若干上方の位置に底面と平行面で相似となる寸法に適合するように外形寸法に設定して設置したことで、底板が落ち込むことが無く、また、底板の方形の４辺が側板の４面に対して方形となるように作用し、かごを安定した箱体の形状に成形するよう働く。
【図面の簡単な説明】
【０００９】
【図１】    この発明の折り畳み式かごの一実施例を示す全体斜視図である。
【図２】    折り畳み式かごを平面状態にした展開図である。
【図３】    折り畳み式かごを折り畳んだ状態を表す斜視図である。
【図４】    側板の開口部の掛合部分の拡大斜視図である。
【図５】    底板の跳ね上げ防止突起部の挿入部分の拡大斜視図である。
【発明を実施するための形態】
【００１０】    次に、図面に基づき本発明を実施するための形態を説明する。図１は本発明の実施形態に係る折り畳み式かごの組み立て後の全体斜視図である。１、２、３、４はかご体の側板で、５は底板である。いずれもステンレス丸棒等を溶接等により網体に成形したものである。それぞれの網体は、１１、１２、１３、１４のコイルばねで巻着し一体となっている。
【００１１】    図２は本発明の折り畳み式かごを平面に展開した形状を示し、図３は折り畳んだ際の形状を表している。図２の展開状態から、側板１と底板５を谷折り、側板１と側板２を山折り、側板２と側板３を谷折り、側板３と側板４を山折りとすることで、図３の折り畳みの形状となる。図３の底板５と側板１は説明のため半開きで図示しているが、実際には面同士が接する折り畳み状態となる。
底板５は、側板１の底辺上方の横格子線４１にコイルばねで巻着し結合する。
【００１２】  組み立ての手順であるが、まず、底板５は折り畳んだ状態で、図４に示すように側板１に設けたフック２１を側板４の縁枠のフック掛合部２２に掛合する。次に、カゴ体を方形の箱体に形を整えた上で底板５を落とし込み、図５に示すように底板５の跳ね上がり防止用の突起部３１を側板３のスリット部３２に挿入することで完了する。
【符号の説明】
【００１３】    １・・・側板
２・・・側板
３・・・側板
４・・・側板
５・・・底板
１１・・・コイルばね
１２・・・コイルばね
１３・・・コイルばね
１４・・・コイルばね
２１・・・フック
２２・・・フック掛合部
３１・・・跳ね上げ防止突起
３２・・・跳ね上げ防止突起挿入部
４１・・・底板取り付け部
【図１】
2011011818.tif 000003
【図２】
2011011818.tif 000004
【図３】
2011011818.tif 000005
【図４】
2011011818.tif 000006
【図５】
2011011818.tif 000007